(57)【特許請求の範囲】
【請求項１】
ディスク上に／からのプログラムのＡ／Ｖデータストリームの中のオーディオデータストリームを記録および／または再生するための光記録再生装置において、オーディオデータストリームの一つは、デュアルモノチャネルを持ち、該装置は、
入射光を発生する光学的ピックアップと、
前記光学的ピックアップによって生成された入射光を制御する情報信号を処理し、各異なるチャネル識別子ＩＤをプログラムのＡ／Ｖデータストリームのオーディオデータストリームの各チャネルに割り当てる処理部と
を備え、
前記処理部は、２ｎ−１（ｎは、オーディオデータストリームの優先順位）のチャネルＩＤをオーディオデータストリームに割り当て、２ｎのチャネルＩＤを、デュアルモノチャネルを持つオーディオデータストリームのデュアルモノチャネルの第２のものに割り当てることを特徴とする光記録再生装置。
【請求項２】
前記処理部は、オーディオデータストリームのデュアルモノチャネルの第１のものに２ｎ−１のチャネルＩＤを割り当てることを特徴とする請求項１記載の装置。
【請求項３】
ディスク上に／からのプログラムのＡ／Ｖデータストリームの中のオーディオデータストリームを記録および／または再生するための光記録再生装置において、オーディオデータストリームの一つは、デュアルモノチャネルを持ち、該装置は、
入射光を発生する光学的ピックアップと、
前記光学的ピックアップによって生成された入射光を制御する情報信号を処理し、各異なるチャネル識別子ＩＤをプログラムのＡ／Ｖデータストリームのオーディオデータストリームの各チャネルに割り当てる処理部と
を備え、
前記処理部は、プログラムの切替に際し、現在処理中のプログラムとは異なる第２のプログラムのオーディオストリームがデュアルモノチャネルを持たなければ、チャネルＩＤの異なる各々を前記第２のプログラムのオーディオデータストリームに再割り当てし、もし前記第２のプログラムのオーディオデータストリームがデュアルモノチャネルを持てば、チャネルＩＤの異なる各々を前記第２のプログラムのデュアルモノチャネルの各々に再割り当てし、
前記処理部は、２ｎ−１（ｎは、第２のプログラムのオーディオデータストリームの優先順位）のチャネルＩＤを前記第２のプログラムのオーディオデータストリームに再割り当てし、２ｎのチャネルＩＤをデュアルモノチャネルを持つ前記第２のプログラムのオーディオデータストリームのデュアルモノチャネルの第２のものに再割り当てすることを特徴とする光記録再生装置。
【請求項４】
前記処理部は、前記第２のプログラムのオーディオデータストリームのデュアルモノチャネルの第１のものに、２ｎ−１のチャネルＩＤを割り当てることを特徴とする請求項３記載の装置。
【発明の詳細な説明】
【０００１】
【発明の属する技術分野】
本発明は、複数本のオーディオデータストリームを含むプログラムを再生するＡ／Ｖ機器において、プログラム或いはオーディオデータストリームが切り換わった場合であっても、使用者により選択されたオーディオチャネルを追従して選択できるようにしたオーディオチャネルＩＤ（Ｉｄｅｎｔｉｆｉｃａｔｉｏｎ）付加方法、これを用いたオーディオチャネル選択方法、及びこれに適した光記録再生装置に関する。
【０００２】
【従来の技術】
現在、オーディオ信号の圧縮符号化方法として、主にＭＰＥＧ、ＡＣ３が用いられ、また、圧縮符号化をせずにそのまま記録を行うＬＰＣＭ（Ｌｉｎｅａｒ  Ｐｕｌｓｅ  Ｃｏｄｅ  Ｍｏｄｕｌａｔｉｏｎ）も用いられている。デジタルテレビ放送又はデジタルＡＶ機器であるＶＣＤ、ＤＶＤなどでは、主としてＭＰＥＧが用いられる。
【０００３】
ＭＰＥＧ  Ａ／Ｖデータの符号化されたデータストリーム、及びそれ以外のデータストリームを統合して実際の応用に適用する場合、かかるデータが統合された１本のデータストリームにする必要があり、応用形態に応じては、ある補助データを付加して用いることもできる。このように、ビデオデータ及びオーディオデータを同期させながら多重化させることが、ＭＰＥＧシステムの機能である。
【０００４】
ＭＰＥＧシステムにおいては、パケットによる多重化方式を採択している。パケットによる多重化とは、ビデオデータ及びオーディオデータのそれぞれを、パケットと呼ばれる適当な長さのデータストリームに分割し、ヘッダなどの情報を付加して、ビデオデータ及びオーディオデータのパケットを多重化する方式である。
【０００５】
これらのパケットには、図１に示されたように、ヘッダと呼ばれる部分に、ビデオデータか、或いはオーディオデータかの属性を識別するための情報が存する。パケットの長さは、伝送媒体又は応用形態による。
【０００６】
表１は、図１に示されたパケットヘッダの内容を示している。
【表１】
0003647387.tif 000002
【０００７】
ここで、Ｐａｃｋｅｔ＿ｓｔａｒｔ＿ｃｏｄｅ＿ｐｒｅｆｉｘはパケットが開始することを表し、ｓｔｒｅａｍ＿ｉｄはデータの種類を表す。例えば、ビデオデータの場合には２進数で“１１１０  ００００”ｂとなり、オーディオデータの場合には２進数で“１１００  ０＊＊＊”ｂとなる。ここで、＊＊＊は、０００ｂから１１１ｂまで、合計８種類のデータストリームが存しうることを表す。ＭＰＥＧシステムにおいては、この２種類以外のデータに対しては、ｐｒｉｖａｔｅストリームとして用いるようにしているが、このｐｒｉｖａｔｅストリームには“１０１１  １１０１”ｂというコードが使用可能である。
【０００８】
ＰＴＳ（Ｐｒｅｓｅｎｔａｔｉｏｎ  Ｔｉｍｅ  Ｓｔａｍｐ）及びＤＴＳ（Ｄｅｃｏｄｉｎｇ  Ｔｉｍｅ  Ｓｔａｍｐ）は、ＭＰＥＧシステム規格に準拠したものであって、それぞれビデオデータまたはオーディオデータ等における再生単位（ｐｒｅｓｅｎｔａｔｉｏｎ  ｕｎｉｔ）の出力時間及び復号化時間を表す。再生単位は、ビデオデータにおいては、映像の１フレームをいい、オーディオデータにおいては、音声の１フレームをいう。オーディオデータの場合には、ＤＴＳが不要である。
【０００９】
ＭＰＥＧオーディオデータを除いたＡＣ３又はＬＰＣＭなどのオーディオデータは、ｐｒｉｖａｔｅストリーム化して構成される。このときのパケットヘッダを表２に示す。
【表２】
0003647387.tif 000003
【００１０】
ここで、ｓｕｂｓｔｒｅａｍ＿ｉｄの場合には、ＡＣ３又はＬＰＣＭなど、オーディオ符号化の種類を区別するために用いられる。例えば、ＡＣ３の場合には、“１０１０  ＊＊＊”ｂである。ここで、＊＊＊は、ＭＰＥＧオーディオデータにおけるように、８本までのデータストリームが存しうるという意味である。ＭＰＥＧにおいては、１つのプログラムが多数本のビデオデータストリーム及びオーディオデータストリームを持つことができる。
【００１１】
ｎｕｍｂｅｒ＿ｏｆ＿ａｕｄｉｏ＿ｃｈａｎｎｅｌｓは、チャネル数を表すものであって、１ｃｈ、２ｃｈ、３ｃｈ、４ｃｈ及びｄｕａｌ  ｍｏｎｏチャネルなどがある。ここでのチャネルは、使用者が選択をするという意味のチャネルとは異なる。すなわち、ｄｕａｌ  ｍｏｎｏチャネルを除いては、いずれも使用者にとって１つのチャネルとして認識される。ｄｕａｌ  ｍｏｎｏは、２つとして認識される。
【００１２】
ＭＰＥＧ−１又はＭＰＥＧ−２  ＰＳ（Ｐｒｏｇｒａｍ  Ｓｔｒｅａｍ）においては、ビデオパケット又はオーディオパケットの上位に、パック（Ｐａｃｋ）と呼ばれる上位階層が存する。通常、複数のビデオパケット又はオーディオパケットからなるパックを１つの基本単位として取扱う。図２は、パックの構造を示すものである。これを参照すると、パックヘッダのところに、同期再生のための時間基準参照用の付加情報が存する。
【００１３】
表３は、図２に示されたパックヘッダの内容を示す。
【表３】
0003647387.tif 000004
【００１４】
ここで、Ｐａｃｋ＿ｓｔａｒｔ＿ｃｏｄｅは、ここからパックデータが開始するということを知らせるコードである。また、ＳＣＲ  ｖａｌｕｅは、このパックデータが復号器のバッファに達した時間を表すものであって、符号化端及び復号化端のシステムクロックを同期させるために用いられる。ｐｒｏｇｒａｍ＿ｍｕｘ＿ｒａｔｅは、ビデオデータ、オーディオデータ、ｐｒｉｖａｔｅデータがいずれも多重化され伝送される伝送率を表す。ここで、正しい復号のためには、この伝送率より高伝送率での伝送が要求される。ｐａｃｋ＿ｓｔｕｆｆｉｎｇ＿ｌｅｎｇｔｈは、ダミーデータの数を表す。
【００１５】
図３は、チャネル及びこれに相当するオーディオ信号を示すものである。図３に示されたように、復号器を介してオーディオ信号が出力される。ここで、ｄｕａｌ  ｍｏｎｏチャネルデータの場合には、ＣＨ０オーディオデータ及びＣＨ１オーディオデータが出力され、２ｃｈデータの場合と極めて似ているように見えるが、ｄｕａｌ  ｍｏｎｏチャネルデータの場合には、ＣＨ０オーディオデータ及びＣＨ１オーディオデータが互いに関連のないオーディオデータであるのに対し、２ｃｈデータの場合には、左オーディオデータ及び右オーディオデータが互いに関連しているという点で相違する。
【００１６】
例えば、ｄｕａｌ  ｍｏｎｏチャネルにおいて、ＣＨ０には韓国語のオーディオデータが、ＣＨ１には英語のオーディオデータが載せられる場合がある。ここで、通常は、２チャネルの内いずれか１つだけを選択して出力する。または、左スピーカを介してＣＨ０を、右スピーカを介してＣＨ１を出力する場合もある。
【００１７】
図４は、ｄｕａｌ  ｍｏｎｏチャネルのデータを復号及び出力する装置の一例を示すものである。図４に示された装置において、選択信号が０であれば、左オーディオデータ及び右オーディオデータともＣＨ０オーディオデータを出力し、選択信号が１であれば、左オーディオデータ及び右オーディオデータともＣＨ１オーディオデータを出力する。そして、選択信号が２であれば、ＬＥＦＴ  ＡＵＤＩＯにＣＨ１オーディオデータを、ＲＩＧＨＴ  ＡＵＤＩＯにＣＨ１オーディオデータを出力する。
【００１８】
図５は、音声多重オーディオ信号をｄｕａｌ  ｍｏｎｏのオーディオデータとして記録又は再生する方法を示すものである。音声多重オーディオ信号は、主オーディオデータと副オーディオデータとで構成される。記録に際し、主オーディオデータ及び副オーディオデータは、音声多重符号化器を介して１本のオーディオデータストリームに符号化される。このとき、主オーディオデータはＣＨ０に符号化され、副オーディオデータはＣＨ１に符号化される。
【００１９】
再生に際し、オーディオデータストリームは、音声多重復号化器を介してＣＨ０オーディオデータ及びＣＨ１オーディオデータに復号化される。ここで、ＣＨ０オーディオデータは主オーディオデータであり、ＣＨ１オーディオデータは副オーディオデータである。
【００２０】
ここで、複数本のオーディオデータストリームが存すると仮定する。例えば、Ａ／Ｖデータストリーム内に２本のオーディオデータストリームが存するとするとき、使用者は、２つのチャネルの内いずれか１つを選択することができる。ところが、選択されたオーディオデータストリームがｄｕａｌ  ｍｏｎｏデータであれば、すなわち、サブオーディオデータストリームを含む場合であれば、使用者はさらに２つのチャネルを選択することができる。
【００２１】
【発明が解決しようとする課題】
本発明の目的は、複数本のオーディオデータストリームを含むＡ／Ｖデータストリームにおいて、それぞれのオーディオデータストリームがｄｕａｌ  ｍｏｎｏモードである場合、オーディオデータストリームに含まれたサブオーディオデータストリームにチャネルＩＤを付加する方法を提供することにある。
【００２２】
本発明の他の目的は、ｄｕａｌ  ｍｏｎｏモードを認める複数本のオーディオデータストリームを再生するＡ／Ｖ機器において、プログラム或いはオーディオデータストリームが切り換わった場合であっても、使用者により入力されたオーディオチャネルを追従して、同種のオーディオチャネルを選択する方法を提供することにある。
【００２３】
本発明のさらに他の目的は、上記したオーディオチャネル選択方法に適した装置を提供することにある。
【００２４】
【課題を解決するための手段】
本発明にかかる装置は、ディスク上の／からの光学信号を記録しかつ再生するための光記録再生装置であって、
ディスクから光学信号をピックアップするピックアップ部と、
ピックアップ部で生成された光学信号を電気信号に変換し、サーボ信号および変調されたデータを抽出するＲＦ ＡＭＰと、
変調されたデータを復調して、圧縮されたＡ／Ｖデータストリームを出力するデジタルシグナルプロセッサと、
ＲＦ ＡＭＰからサーボ制御に必要な情報を受け取って、サーボ制御を行うサーボ部と、
圧縮されたＡ／Ｖデータストリームを復号化して、複数のオーディオデータストリームを含むＡ／Ｖデータストリームを出力するＡＶコーデックと、
ディスク上の／からのサブオーディオデータストリームを持つプログラムの記録と再生を変更する、使用者によるキー入力を入力させるキー入力部と、
キー入力部を通してユーザーインターフェイスを実行し、ピックアップ部とＲＦ ＡＭＰとデジタルシグナルプロセッサとサーボユニットとＡＶコーデックを制御するシステムコントローラと
を備え、
一つのプログラムが他のプログラムに変更されるときに、プログラムが変更される前にプログラムの中で再生された一つのプログラムのサブオーディオデータストリームに割り当てられたチャネルＩＤと同じチャネルＩＤを持つサブオーディオデータストリームがあるかどうかを探索し、探索が成功した場合に、プログラムが変更される前にプログラムの中で再生された一つのプログラムのサブオーディオデータストリームに割り当てられたチャネルＩＤと同じチャネルＩＤを持つサブオーディオデータストリームを選択することを特徴とする。
【００２５】
また、本発明にかかる他の装置は、ディスク上に／からのＡ／Ｖデータストリームの中のオーディオデータストリームを記録および／または再生するための光記録再生装置において、オーディオデータストリームの一つは、デュアルモノチャネルを持ち、該装置は、
入射光を発生する光学的ピックアップと、
前記光学的ピックアップによって生成された入射光を制御する情報信号を処理し、各異なるチャネル識別子ＩＤをＡ／Ｖデータストリームのオーディオデータストリームの各チャネルに割り当てる処理部と
を備えることを特徴とする。
【００２６】
また、本発明にかかるさらに他の装置は、複数のプログラムを記録および／または再生するための光記録再生装置であって、各プログラムは、少なくとも２個のオーディオデータストリームを備え、オーディオデータストリームのいくつかはデュアルモノチャネルを持ち、該装置は、
入射光を発生する光学的ピックアップと、
前記光学的ピックアップによって生成された入射光を制御する情報信号を処理し、プログラムの第１のもののオーディオデータストリームの一つのデュアルモノチャネルの一つを再生し、プログラムの第２のものを変更し、第２のプログラムのオーディオデータストリームの一つの、デュアルモノチャネルの一つが第１のプログラムの、一つのオーディオデータストリームの、一つのデュアルモノチャネルに対応するかどうかを決定し、もし対応していれば第２のプログラムの一つのオーディオデータストリームの一つのデュアルモノチャネルを再生する処理部と
を備えることを特徴とする。
【００２７】
また、本発明にかかるさらに別の装置は、複数のプログラムを備えた、Ａ／Ｖデータストリーム内のオーディオデータストリームを記録および／または再生するための光記録再生装置であって、各プログラムは、少なくとも一つのチャネルを持った少なくとも２個のオーディオデータストリームを備え、オーディオデータストリームの一つはデュアルモノチャネルを持ち、各チャネルには、プログラム内の所定の優先順位に従ったチャネルＩＤがあり、該装置は、
入射光を発生する光学的ピックアップと、
光学的ピックアップによって生成された入射光を制御する情報信号を処理し、プログラムの第１のものがプログラムの第２のものに変更されるときに、変更に先立って再生されていた第１のプログラムの第１のデュアルモノチャネルに割り当てられたチャネルＩＤと同じチャネルＩＤを持つ第２のプログラムの第２のデュアルモノチャネルがあるかどうかを探索し、もし探索が成功すれば第２のデュアルモノチャネルを選択する処理部と
を備えることを特徴とする。
【００２８】
【発明の実施の形態】
以下、添付された図面に基づき、本発明の構成及び動作を具体的に説明する。本発明に係るオーディオチャネルＩＤ付加方法は、プログラムに含まれたオーディオチャネルに相異なるチャネルＩＤを付加することを特徴とする。
【００２９】
表４は、１つのプログラムに３本のオーディオデータストリームが記録された場合において、本発明によるチャネルＩＤ付加方法に従い付加されたチャネルＩＤの例を示す。
【表４】
0003647387.tif 000005
【００３０】
表４の例から明らかなように、ｄｕａｌ  ｍｏｎｏでない場合には、２ｎ−１（ここで、ｎ＝１、２、３）に相当するチャネルＩＤを付加する。このとき、ｎはデータストリーム番号に等しい。これに対し、ｄｕａｌ  ｍｏｎｏの場合には、ＣＨ０に２ｎ−１に相当するチャネルＩＤを付加し、ＣＨ１に２ｎに相当するチャネルＩＤを付加する。
【００３１】
使用者により、リモコンなどの遠隔調整装置を介してオーディオ切換キーが押下されると、現在再生中のチャネルＩＤより大きい番号が順番に選択され出力される。ここで、使用者が、１つのチャネルＩＤを設定すると、継続してそのＩＤに相当するオーディオデータストリームを選択し、復号した後に出力する。
【００３２】
本発明に係るオーディオチャネル選択方法は、プログラムの切換に際し、切換前のプログラムにおいて選択されていたオーディオチャネルを、切換後のプログラムにおいても追従して選択するようにしたことを特徴とする。また、切換前のオーディオチャネルが存しない場合には、デフォルトのオーディオチャネルを選択するようにした。
【００３３】
ここで、再生中に新たなデータストリームが入力されたと仮定する。新たなデータストリームには、以前のデータストリームとは異なるオーディオデータが記録されている場合がある。例えば、以前のデータストリームには、オーディオ用データストリームは１本であり、ｄｕａｌ  ｍｏｎｏで記録されているのに対し、新たなデータストリームには、ｄｕａｌ  ｍｏｎｏでないオーディオデータストリームが２本記録されていたりする。
【００３４】
本発明に係るオーディオチャネル選択方法は、以前に再生していたチャネルＩＤに相当するデータが存するならばそれを選択して再生し、そうでなければ、チャネルＩＤ−１番に相当するものを選択して出力する。
【００３５】
さらに、他の例として、以前に再生していたチャネルＩＤに相当するデータが存するならばそれを選択して再生し、そうでなければ、現在のチャネルが偶数である場合、現在のチャネルＩＤ−１に相当するデータを探して、それがあったなら、それを選択して出力し、そうでなければ、チャネルＩＤ−１番に相当するものを選択して出力する。また相当するデータが存せず、かつ現在のチャネルが奇数である場合には、チャネルＩＤ−１番に相当するものを選択して出力する。
【００３６】
表５は、オーディオデータストリームの別の組合わせ例を示す。
【表５】
0003647387.tif 000006
【００３７】
例えば、プログラム１の再生中に、使用者によりオーディオ切換キーが押下されると、出力されるオーディオ信号は、データストリーム１のＣＨ０→データストリーム１のＣＨ１→データストリーム２のＣＨ０→データストリーム２のＣＨ１の順番で切り換わる。
【００３８】
一方、プログラム１を、該チャネルＩＤが３である、データストリーム２のＣＨ０を選択して再生完了し、次いで、プログラム２を再生しようとするときには、取り敢えずチャネルＩＤ３に相当するデータストリームが存するか否かを調べる。ここでは、プログラム２に、チャネルＩＤ３に相当するデータストリーム２が存するので、それを再生する。
【００３９】
また、プログラム１を、該チャネルＩＤが４である、データストリーム２のＣＨ１を選択して再生完了し、次いで、プログラム２を再生しようとするときには、取り敢えずチャネルＩＤ４に相当するデータストリームが存するか否かを調べる。ここでは、プログラム２に、チャネルＩＤ４に相当するデータが存しないので、基本チャネルであるＩＤ１のデータストリーム１を選択して、それを再生する。
【００４０】
このほか、好適なチャネル切換方法としては、チャネルＩＤ４−１に相当する、チャネルＩＤ３が存するか否かを調べ、それが存するとそれを選択し、存しないと、基本チャネルＩＤ１に相当するデータストリーム１を選択して、それを再生する方法がある。ここでは、チャネルＩＤ３に相当するデータストリームが存するので、それを再生する。
【００４１】
本発明による方法においては、チャネルＩＤが奇数の場合には、ｎｏｎ  ｄｕａｌ  ｍｏｎｏか、或いはｄｕａｌ  ｍｏｎｏにおけるメーンオーディオチャネルを意味する。これに対し、チャネルＩＤが偶数の場合には、ｄｕａｌ  ｍｏｎｏにおけるサブオーディオチャネルを意味する。
【００４２】
使用者によるオーディオチャネル切換時には、使用者からみて、オーディオチャネルが別のオーディオデータストリームに分類されようが、ｄｕａｌ  ｍｏｎｏに分類されようが、その如何を問わず、チャネル切換がなされることが好ましい。
【００４３】
本発明に係るオーディオチャネル選択方法によれば、オーディオ切換キーによる入力がなされると、相当するオーディオデータストリームにおいて、メーンオーディオデータからサブオーディオデータへの切換が先になされ、次いで、オーディオデータストリームへの切換がなされる。
【００４４】
また、使用者により、１つのオーディオチャネルが選択されると、プログラムが切り換わった場合であっても、取り敢えず現在設定されたチャネルをそのまま維持する。
【００４５】
しかし、相当するチャネルが存しない場合には、そこに当てはまるチャネルを選択する必要がある。このときには、無条件に基本チャネルであるＣＨ０を選択して再生するか、それとも現在選択されたオーディオチャネルに最も近似したチャネルを探して（チャネルたＩＤが偶数である場合、即ち、サブオーディオデータの場合には、メーンオーディオチャネルが最も近似したチャネルと考えられ、これが奇数チャネルＩＤ−１である）再生する。
【００４６】
また、現在設定されたチャネルＩＤに相当するオーディオデータストリームが存しない場合には、取り敢えずこのチャネルＩＤを記憶しておき、上記した方法に従い基本チャネルを選択して出力するか、或いは最も近似したチャネルを選択して再生し、再生中に上記したチャネルＩＤに相当するオーディオデータストリームが現われると、該データストリームをさらに選択して出力しても良い。
【００４７】
これは、使用者が、サブオーディオチャネルを選択して再生中に、しばらくの間サブオーディオチャネルの存しないプログラムを再生し、再度元のサブオーディオチャネルが存するプログラムを再生する場合には、さらにサブオーディオチャネルを選択して再生する場合に行われる。そうでなければ、使用者は、サブオーディオチャネルを再生するために、さらに切換をしなければならない。
【００４８】
図６は、本発明に適した光記録再生装置のブロック構成図であって、記録可能なディスクを用い、Ａ／Ｖデータを記録再生する。またその機能は、記録と再生とに大別できる。
【００４９】
記録に際し、Ａ／Ｖコーデック１１０は、外部から入力されるＡ／Ｖ信号を所定の圧縮体系に従って圧縮符号化を行い、圧縮されたデータに対する容量情報を提供する。デジタルシグナルプロセッサ（Ｄｉｇｉｔａｌ  Ｓｉｇｎａｌ  Ｐｒｏｃｅｓｓｏｒ；以下、ＤＳＰと称する）１２０は、Ａ／Ｖコーデック１１０からのＡ／Ｖデータを受け取って、誤り訂正符号（Ｅｒｒｏｒ  Ｃｏｒｒｅｃｔｉｏｎ  Ｃｏｄｅ；以下、ＥＣＣと称する）処理のための付加データを付加し、所定の変調体系に従い、変調などを行う。高周波増幅器（以下、ＲＦ  ＡＭＰ）１３０は、ＤＳＰ  １２０からの電気的データを光学信号に変換する。
【００５０】
ピックアップ部１４０には、ＲＦ  ＡＭＰ  １３０からの光学信号をディスクに記録するとともに、フォーカシング及びトラッキングを行なうためのアクチュエータが組み込まれている。サーボ部１５０は、ＲＦ  ＡＭＰ  １３０及びシステムコントローラ１６０から、サーボ制御を行うのに必要な情報を受け取って、サーボ制御を行う。
【００５１】
システムコントローラ１６０は、システム全体の制御を司る。特に、オーディオデータの符号化モードを決定して、データをディスク上に記録するように制御する。
【００５２】
再生に際し、ピックアップ部１４０は、データを格納しているディスクから光学信号をピックアップし、この光学信号からデータが抽出される。ＲＦ  ＡＭＰ１３０は、光学信号を電気的信号に変換させ、サーボ制御を行なうためのサーボ信号及び変調されたデータを抽出する。
【００５３】
ＤＳＰ  １２０は、ＲＦ  ＡＭＰ  １３０からの変調済みのデータを、変調に際し用いた変調体系に対応して復調するとともに、ＥＣＣを行って誤りを訂正し、且つ付加データを除去する。サーボ部１５０は、ＲＦ  ＡＭＰ  １３０及びシステムコントローラ１６０から、サーボ制御に必要な情報を受け取って、安定したサーボを行う。
【００５４】
Ａ／Ｖコーデック１１０は、ＤＳＰ  １２０からの圧縮されたＡ／Ｖデータを復号化して、Ａ／Ｖ信号を出力する。
【００５５】
システムコントローラ１６０は、使用者によるキー入力を処理するなど、使用者インタフェースを行いつつ、上記したような方法により、ピックアップ部１４０、ＲＦ  ＡＭＰ  １３０、ＤＳＰ  １２０、Ａ／Ｖコーデック１１０を制御する。特にオーディオデータストリーム切換のためのコマンドがキー入力部１７０を介して入力された場合には、オーディオデータストリームを分析し、該当するオーディオデータを選択して再生するように制御する。
【００５６】
【発明の効果】
以上述べたように、本発明に係るチャネルＩＤ付加方法によると、オーディオデータストリームの各チャネルごとに相異なるチャネルＩＤを付加することにより、オーディオ信号の選択に際し、同一チャネルが追従可能である。
さらに、本発明に係るオーディオチャネル選択方法によると、プログラム或いはオーディオデータストリームが切り換わった場合であっても、使用者により選択された音声モードを追従できる効果がある。
【図面の簡単な説明】
【図１】ＭＰＥＧシステムにおけるパケットの構造を示すものである。
【図２】ＭＰＥＧシステムにおけるパックの構造を示すものである。
【図３】チャネル別オーディオ信号を示すものである。
【図４】デュアルモノチャネルのデータを復号及び出力する装置の一例を示すものである。
【図５】音声多重オーディオ信号をデュアルモノのオーディオデータとして記録又は再生する方法を示すものである。
【図６】本発明に係る記録再生装置のブロック構成図である。
【符号の説明】
１１０  Ａ／Ｖコーデック
１２０  ＤＳＰ
１３０  ＲＦ  ＡＭＰ
１４０  ピックアップ部
１５０  サーボ部
１６０  システムコントローラ
１７０  キー入力部
【図１】
0003647387.tif 000007
【図２】
0003647387.tif 000008
【図３】
0003647387.tif 000009
【図４】
0003647387.tif 000010
【図５】
0003647387.tif 000011
【図６】
0003647387.tif 000012